(57)【要約】少なくとも１つの第１の磁石１０８；２０２の運動を制御するシステムが提供され、運動は少なくとも１つの第２の磁石１０３、１０４、１０５；２０４からの反発力によって生じる。第１の磁石１０８；２０２の運動前、第１の磁石と少なくとも１つの第２の磁石１０３、１０４、１０５；２０４のうちの１つは、上記磁石の両中心Ｃ、Ｄを通って延びる線Ｅ−Ｅがいずれの磁石の磁軸Ａ−Ａ、Ｂ−Ｂに対しても直交しないように並べられる。さらに、本発明は、少なくとも１つの第１の磁石１０８；２０２の運動を制御する方法に関し、運動は少なくとも１つの第２の磁石１０３、１０４、１０５；２０４からの反発力によって生じる。該方法は、少なくとも１つの第１の磁石１０８；２０２と少なくとも１つの第２の磁石１０３、１０４、１０５；２０４を、磁石の両中心Ｃ、Ｄを通って延びる線Ｅ−Ｅがいずれの磁石の磁軸Ａ−Ａ、Ｂ−Ｂに対しても直交しないように並べるステップと、磁石を保持しつつ、磁石を相互に近接して配置するステップと、第１の磁石１０８、２０２を解放するステップと、を備える。
2018529493.tif 000002
【特許請求の範囲】
【請求項１】
少なくとも１つの第１の磁石（１０８；２０２）の運動を制御するシステムであって、前記運動が少なくとも１つの第２の磁石（１０３、１０４、１０５；２０４）からの反発力によって生じるものであり、前記第１の磁石（１０８；２０２）の運動前に、前記第１の磁石と前記少なくとも１つの第２の磁石（１０３、１０４、１０５；２０４）のうちの１つとが、前記磁石の両中心（Ｃ、Ｄ）を通って延びる線（Ｅ−Ｅ）がいずれの前記磁石の磁軸（Ａ−Ａ、Ｂ−Ｂ）に対しても直交しないように並べられることを特徴とするシステム。
【請求項２】
前記第１の磁石（１０８；２０２）の運動前に、前記第１の磁石と前記少なくとも１つの第２の磁石（１０３、１０４、１０５；２０４）のうちの１つとが、共通ベース（１０２；２０６）から前記第１の磁石（１０８；２０２）の中心（Ｃ）までの距離が同じ共通ベースから前記第２の磁石（１０３、１０４、１０５；２０４）の中心（Ｄ）までの距離と異なるように、共通ベース（１０２；２０６）に並べられる、請求項１に記載の運動を制御するシステム。
【請求項３】
前記共通ベースに対して平行な運動を達成するため、前記第２の磁石（２０４）の中心（Ｄ）から前記磁石の共通ベース（２０６）までの距離が前記第１の磁石（２０２）の中心（Ｃ）から前記共通ベースまでの距離よりも大きい、請求項２に記載のシステム。
【請求項４】
前記共通ベースに対して非平行な運動を達成するため、前記第１の磁石（２０２）の中心（Ｃ）から前記磁石の共通ベース（２０６）までの距離が前記第２の磁石（２０４）の中心（Ｄ）から前記共通ベースまでの距離よりも大きい、請求項２に記載のシステム。
【請求項５】
前記磁石が非磁性材料に封入され、前記封入が好ましくは非対称であることを特徴とする、請求項１〜４のいずれか一項に記載のシステム。
【請求項６】
少なくとも２つの第２の磁石（１０３、１０４、１０５）が、前記磁石が一体（１００）となるように同じ材料（１０６）で包囲される、請求項５に記載のシステム。
【請求項７】
少なくとも１つの第１の磁石（１０８；２０２）の運動を制御する方法であって、前記運動が少なくとも１つの第２の磁石（１０３、１０４、１０５；２０４）からの反発力によって生じ、
前記少なくとも１つの第１の磁石（１０８；２０２）と前記少なくとも１つの第２の磁石（１０３、１０４、１０５；２０４）を、前記磁石の両中心（Ｃ、Ｄ）を通って延びる線（Ｅ−Ｅ）がいずれの前記磁石の磁軸（Ａ−Ａ、Ｂ−Ｂ）に対しても直交しないように並べるステップと、
前記磁石を保持しつつ、前記磁石を相互に近接して配置するステップと、
前記第１の磁石（１０８、２０２）を解放するステップと、
を備えることを特徴とする方法。
【請求項８】
共通ベース（１０２；２０６）に対して平行な運動を達成するため、前記第２の磁石（１０３、１０４、１０５、２０４）の中心（Ｄ）から前記共通ベース（１０２；２０６）までの距離が前記第１の磁石（１０８；２０２）の中心（Ｃ）から前記共通ベース（１０２；２０６）までの距離よりも大きくなるように、前記少なくとも１つの第１の磁石（１０８；２０２）と前記少なくとも１つの第２の磁石（１０３、１０４、１０５；２０４）を前記共通ベース（１０２；２０６）に並べられる、請求項７に記載の方法。
【請求項９】
共通ベース（１０２；２０６）に対して非平行な運動を達成するため、前記第１の磁石（１０８；２０２）の中心（Ｃ）から前記共通ベース（１０２；２０６）までの距離が前記第２の磁石（１０３、１０４、１０５；２０４）の中心（Ｄ）から前記共通ベースまでの距離よりも大きくなるように、前記少なくとも１つの第１の磁石（１０８；２０２）と前記少なくとも１つの第２の磁石（１０３、１０４、１０５；２０４）を前記共通ベース（１０２；２０６）に並べられる、請求項７に記載の方法。
【請求項１０】
前記第１の磁石が運動して目標に到達する、請求項１〜６に記載のシステムのゲームとしての使用。
【発明の詳細な説明】
【技術分野】
【０００１】
本発明は、磁石を用いてプレーイングピースの軌道を制御するシステムおよび方法に関する。
【背景技術】
【０００２】
エアホッケーやシャッフルボードなどの従来の卓上ゲームは長期にわたって広く普及しており、通常、プレーの場にいるプレーヤによって操作される１つ以上の可動コンポーネントから成る。シャッフルボードおよび類似の卓上ゲームでは、シューティング装置を使用して、プレーエリアにパックを配置することができる。シューティング装置は、磁気パックを配置すべき区間の近傍に磁石を備えて構成することができる。シューティング装置の磁石と磁気パックとは相互に反発し合う。プレーヤはシューティング装置の区間にパックを置き、磁石の反発によってパックがプレーエリアを動き回る。パックの速度は、シューティング装置の磁石に対する近接度によって制御される。
【０００３】
上記磁気シューティング装置の既存の実施例には、解放後の磁気パックのブレと無制御な運動に関連する問題が存在する。よって、本発明の目的は、別の磁石によって反発された後のプレーイングピース内の磁石の運動を制御するシステムおよび方法を提供することである。
【発明の概要】
【０００４】
上記の目的は、独立特許請求項の特徴部によるシステムおよび方法によって達成される。さらなる有益な特徴は、対応する従属請求項に記載される。
本発明は、少なくとも１つの第１の磁石を備えるプレーイングピースの運動を制御するシステムに関し、該運動は少なくとも１つの第２の磁石からの反発力によって生じる。第１の磁石の運動前、第１の磁石と第２の磁石は、磁石の両中心を通って延びる線がいずれの磁石の磁軸に対しても直交しないように並べられる。
【０００５】
本明細書では、「磁軸」は、磁石の２つの極をつなげる直線を意味する。本明細書では、「磁石の中心」は、磁軸に沿った点であり、両磁極からの距離が等しい。
つまり、磁石がテーブルやプレーイングボードなどの共通ベースに置かれる場合、ベースから第１の磁石の中心までの距離は、同じベースから第２の磁石の中心までの距離と異なる。これは、様々な方法で実現することができ、たとえば、異なるサイズの磁石を使用して達成することができる。これは、非磁性材料に磁石を封入し、封入を非対称とすることでも達成される。
【０００６】
好適な実施形態では、磁石は軸方向に磁化され、第１の磁石と第２の磁石の磁軸は相互に平行である。複数の第２の磁石が存在する場合、それらの磁石は同じサイズとし、磁軸が平行となるように並べるべきであり、同じ平面が第２の磁石すべての底部に沿って延在すべきである。
【０００７】
磁石について説明する際、磁石は、任意の種類の磁気装置、たとえば、永久磁石、一時磁石、または本発明に記載されるような２つの対象物間に反発を生じさせるのに適した電磁界を発するその他の装置とすることができると理解すべきである。
【０００８】
さらに、磁石間の反発力について説明する際、当業者であれば、磁石の配置の仕方を承知しているであろう。通常、Ｎ極は別の磁石のＮ極に反発する。この反発力の結果として生じる運動について言及する際、反発力は相互に働くため、両磁石が運動すると理解すべきである。本特許出願では明瞭化のため、第１の磁石の運動に関してのみ言及しているが、当然ながら、第１の磁石または第２の磁石のいずれかが運動を防止されることに応じて、両磁石が運動することができる、あるいは第２の磁石のみが運動することができる。
【０００９】
本発明によるシステムでは、第１の磁石の中心と第２の磁石の中心とを通って延びる線は、いずれの磁石の磁軸に対しても直交しない。両中心を通って延びる線が少なくとも一方の磁軸に対して直交する場合、第１の磁石の運動のブレが制御できなくなることがあり、望ましくない。
【００１０】
さらに、共通ベースに対して平行な運動を達成するため、第２の磁石の中心から磁石の共通ベースまでの距離が、第１の磁石の中心からベースまでの距離よりも大きい。
もしくは、共通ベースに対して非平行な運動を達成するため、第１の磁石の中心から磁石の共通ベースまでの距離が、第２の磁石の中心からベースまでの距離よりも大きい。
【００１１】
第１の１つまたは複数の磁石と第２の１つまたは複数の磁石は非磁性材料に封入することができ、封入は好ましくは非対称である。封入は磁石の片側で厚くさせることができるため、封入によって磁石の中心からの必要な偏位を達成することなどができる。
【００１２】
さらに、２つ以上の第２の磁石は、磁石が一体となるように同じ非磁性材料で包囲することができる。
本発明は、少なくとも１つの第１の磁石を備えるプレーイングピースの運動を制御する方法をさらに備え、該運動は少なくとも１つの第２の磁石からの反発力によって生じる。該方法は、
少なくとも１つの第１の磁石と少なくとも１つの第２の磁石を、磁石の両中心を通って延びる線がいずれの磁石の磁軸に対しても直交しないように並べるステップと、
磁石を保持しつつ、磁石を相互に近接して配置するステップと、
第１の磁石を解放するステップと、を備える。
【００１３】
磁石の共通ベースに対して平行な運動を達成するため、少なくとも１つの第１の磁石と少なくとも１つの第２の磁石は、第２の磁石の中心からベースまでの距離が第１の磁石の中心からベースまでの距離よりも大きくなるように並べられるべきである。
【００１４】
磁石の共通ベースに対して非平行な運動を達成するため、少なくとも１つの第１の磁石と少なくとも１つの第２の磁石は、第１の磁石の中心からベースまでの距離が第２の磁石の中心からベースまでの距離よりも大きくなるように並べられるべきである。
【００１５】
以下、第１の磁石が移動して目標に到達するゲームでの使用に言及して、本発明を説明する。本発明によるシステムは、第１の磁石を含むプレーイングピースの運動を制御するために使用することができる。
【００１６】
実施例
本発明について、本発明によるシステムの原理を示す同封の図面を参照して以下説明する。図面は単に本発明を例示する目的であるため、図面中の各種部分は必ずしも等縮尺ではない。
【００１７】
例示的実施形態の以下の説明は図面を参照し、以下の詳細な説明は本発明を限定することを意図または目的としておらず、その代わりに、発明の範囲は添付の請求項によって定義される。
【００１８】
本明細書全体を通じて「一実施形態」または「実施形態」という言及は、実施形態と関連して記載される特定の特徴、構造、または特性が、開示される主題の少なくとも１つの実施形態に含まれることを意味する。よって、本明細書内の所々に「一実施形態では」または「実施形態では」というフレーズが出現しても、必ずしも同じ実施形態を指すとは限らない。さらに、特定の特徴、構造、または特性は、一以上の実施形態において任意の適切な形で組み合わせることができる。
【図面の簡単な説明】
【００１９】
【図１】本発明の一実施形態によるシューティング装置とプレーイングピースとを備えるゲームを示す図であって、シューティング装置とプレーイングピースの横断面図である。
【図２】別の実施形態のシューティング装置とプレーイングピースの縦断面図である。
【発明を実施するための形態】
【００２０】
以下の開示は、プレーイングピースの運動および軌道を制御するための好適な実施形態と可能な構造について説明する。
図面に示す細部、大きさ、角度、およびその他の特徴の多くは、単に発明の特定の実施形態の例示である。したがって、他の実施形態は、本発明の範囲を逸脱せずに、他の細部、大きさ、角度、およびその他の特徴を有することができる。さらに、本発明の他の実施形態は、後述のいくつかの細部がなくても実行することができる。
【００２１】
図面中、同一の参照符号は、同一または少なくとも略同様の要素を指す。
図１は、本発明による、第２の磁石１０３、１０４、１０５を含むシューティング装置１００と、それぞれが第１の磁石１０８を含むプレーイングピース１０１とを用いてゲームを行うために使用されるプレーエリア１０２を示す。プレーエリア１０２は、テーブルなどの任意の面とすることができる。プレーエリア１０２には少なくとも１つのシューティング装置１００が配置される。シューティング装置１００は自由に移動させることができる。プレーエリア１０２では、ゲームの前にゼロを含む任意の数のプレーイングピース１０１を置くことができ、図示される実施形態では、３つのプレーイングピースが示されている。また、ゲーム前に、プレーエリア１０２に磁気ピースと非磁気ピース（図示せず）を分散させて、障害またはその他のゲーム効果を生成することができる。プレーエリア１０２にはさらに、他のピース、描かれた線、輪郭、またはその他の類似の種類の標識を設けることができる。
【００２２】
シューティング装置１００は、本実施形態では、非磁性材料１０６で包囲される３つの磁石１０３、１０４、１０５を有し、該シューティング装置はプレーイングピース１０１を収容すべく形成された空隙１０７を有するように設計される。本実施形態のプレーイングピース１０１は、非磁性材料１０９で包囲される磁石１０８を１つ有する。シューティング装置１００の磁石とプレーイングピース１０１の磁石がプレーエリアに配置されて相互に反発し合う。図示される実施形態では、プレーイングピース１０１がシューティング装置１００の空隙１０７に保持され、解放される準備が整っている。他の実施形態では、シューティング装置１００は示されるよりも少ない、または多い磁石を有することができる。シューティング装置１００の空隙１０７は、より大きくすること、なくすこと、または異なる形状にすることができる。
【００２３】
図２は、第１の磁石の運動を制御するように構成された、第１および第２の磁石の別の実施形態の縦断面図である。図２は、第１の磁石２０２を有するプレーイングピース２００と第２の磁石２０４を有するシューティング装置２０３の実施形態を示す。プレーイングピース２００とシューティング装置２０３は、磁石２０４、２０４が相互に反発し合うように、共通ベース２０６上に配置される。第１の磁石２００の線Ａ−Ａによって示される磁軸と、第２の磁石２０４の線Ｂ−Ｂによって示される磁軸は相互に平行に配置される。本実施形態では、プレーイングピース２００の第１の磁石２０２は非磁性材料２０１に封入される。シューティング装置２０３の第２の磁石２０４は非磁性材料２０５に封入される。
【００２４】
第１の磁石の中心Ｃは磁軸Ａ−Ａに沿った点であり、両磁極から等しい距離にある。第２の磁石の中心Ｄは磁軸Ｂ−Ｂに沿った点であり、両磁極から等しい距離にある。プレーイングピース２００とシューティング装置２０３は、第１の磁石２０２の中心Ｃと第２の磁石２０４の中心Ｄを通って描かれる線Ｅ−Ｅが磁軸Ａ−ＡまたはＢ−Ｂのいずれにも直交しないように配置される。これは、図２に示す実施形態において磁石の封入２０１、２０５が非対称であり、第１の磁石２０１が共通ベース２０６に面する薄封入層を有するように構成され、第２の磁石２０３が共通ベースに面する厚封入層を有するように構成されることで達成される。よって、第１の磁石２０２の中心Ｃと第２の磁石の中心Ｄは、共通ベース２０６までの距離が異なる。
【００２５】
図示する好適な実施形態では、プレーイングピース２００の第１の磁石２０２とシューティング装置２０３の第２の磁石２０４とは同種の磁石であり、径２０ｍｍ、厚さ２ｍｍのネオジム磁石である。第１の磁石２０２および第２の磁石２０４を封入する非磁性材料２０１、２０５はプラスチックである。第１の磁石２０２と共通ベースとの間、および第２の磁石２０４と共通ベース２０６との間に異なる厚さの封入を設けることによって、線Ｅ−Ｅがいずれの磁軸に対しても直交しない所望の磁石構成が達成される。シューティング装置２０３とプレーイングピース２００は、相互に近接して並べられ保持される。プレーイングピース２００が解放されるとき、共通ベース２０６に対して平行に移動する。
【００２６】
別の実施形態（図示せず）では、プレーイングピース２００とシューティング装置２０３は、封入を有する、あるいは有さない磁石の組み合わせとすることができる。線Ｅ−Ｅが磁軸に対して直交しない所望の磁石構成は、サイズが異なる第１の磁石２０２と第２の磁石２０４、封入およびサイズの組み合わせが異なる第１の磁石２０２と第２の磁石２０４、または、当業者に明白な他の任意の組み合わせまたは特性の第１の磁石２０２と第２の磁石２０４を用いることによって達成することができる。
【図１】
2018529493.tif 000003
【図２】
2018529493.tif 000004
【国際調査報告】
2018529493.tif 000005
2018529493.tif 000006
2018529493.tif 000007
2018529493.tif 000008